(57)【要約】【課題】  すぐに使用でき且つ紛失のおそれがない霜取プレートの収納構造を提供する。【解決手段】  ダッシュサイドトリム（内装トリム）２にスリット開口７を設けて、そのスリット開口７からダッシュサイドトリム２の裏側に霜取プレート９を収納するようにしたため、霜取プレート９の収納位置が常に決まっており、すぐに使用できるし、紛失のおそれもない。出し入れをするための突起部１０を残し、霜取プレート９の略全体がダッシュサイドトリム２の裏側に隠されるため、見映えの点でも問題ない。【選択図】        図１
2005145116.tif 000002
【特許請求の範囲】
【請求項１】
車体又はドアに取付けられる内装トリムにスリット開口を形成し、該スリット開口から霜取プレートを一端部を残した状態で挿入して、内装トリムの裏側に収納自在としたことを特徴とする霜取プレートの収納構造。
【請求項２】
請求項１記載の霜取プレートの収納構造であって、
スリット開口が、内装トリムの湾曲部に前後方向に貫通した状態で形成され、該開口から霜取プレートを内装トリムの裏面に沿った状態で収納自在であることを特徴とする霜取プレートの収納構造。
【請求項３】
車体又はドアに取付けられる内装トリムに、略霜取プレートに略相応する形状の切欠を形成し、該切欠に対して霜取プレートを取付自在としたことを特徴とする霜取プレートの収納構造。
【請求項４】
請求項３記載の霜取プレートの収納構造であって、
切欠に取付けられた霜取プレートの露出表面が、内装トリムと略連続した表面形状を有していることを特徴とする霜取プレートの収納構造。
【発明の詳細な説明】
【技術分野】
【０００１】
本発明は、車両における霜取プレートの収納構造に関するものである。
【背景技術】
【０００２】
自動車のフロントウインドパネル等には、冬の寒い朝などに霜が付着し、視界を妨げる場合がある。その霜を早期に除去するために、霜を強制的に押し削るための霜取プレートが市販されている。この霜取プレートは一端に刃部を有し、その刃部をガラス表面に当てて押すことにより、ガラス表面の霜を削りとって除去するものである（例えば、特許文献１。）。
【特許文献１】実開平６−６５１２３号公報
【発明の開示】
【発明が解決しようとする課題】
【０００３】
しかしながら、このような従来の技術にあっては、車両内に霜取プレートを専用に収納する部分が確保されておらず、使用後には霜取プレートを他の工具と一緒に荷室等の一部の保管される場合が多いため、使用したい場合にすぐに見つからず、紛失してしまうおそれもある。
【０００４】
本発明は、このような従来の技術に着目してなされたものであり、すぐに使用でき且つ紛失のおそれがない霜取プレートの収納構造を提供するものである。
【課題を解決するための手段】
【０００５】
請求項１記載の発明は、ドアに取付けられる内装トリムにスリット開口を形成し、該スリット開口から霜取プレートを一端部を残した状態で挿入して、内装トリムの裏側に収納自在としたことを特徴とする。
【０００６】
請求項２記載の発明は、スリット開口が内装トリムの湾曲部に前後方向に貫通した状態で形成され、該開口から霜取プレートを内装トリムの裏面に沿った状態で収納自在であることを特徴とする。
【０００７】
請求項３記載の発明は、車体又はドアに取付けられる内装トリムに、略霜取プレートに略相応する形状の切欠を形成し、該切欠に対して霜取プレートを取付自在としたことを特徴とする。
【０００８】
請求項４記載の発明は、切欠に取付けられた霜取プレートの露出表面が、内装トリムと略連続した表面形状を有していることを特徴とする。
【発明の効果】
【０００９】
請求項１記載の発明によれば、内装トリムにスリット開口を設けて、そのスリット開口から内装トリムの裏側に霜取プレートを収納するようにしたため、霜取プレートの収納位置が常に決まっており、すぐに使用できるし、紛失のおそれもない。出し入れをするための一端部を残し、霜取プレートの略全体が内装トリムの裏側に隠されるため、見映えの点でも問題ない。
【００１０】
請求項２記載の発明によれば、霜取プレートを内装トリムの裏面に沿った状態で収納できるため、内装トリムの裏側の隙間スペースが狭くても収納できる。
【００１１】
請求項３記載の発明によれば、内装トリムに切欠を形成して、そこに霜取プレートを取付けるようにしたため、霜取プレートが内装トリムの一部を形成することとなり、内装トリムの裏側に隙間スペースがなくても、霜取プレートの収納が可能となる。
【００１２】
請求項４記載の発明によれば、霜取プレートの露出表面が内装トリムと略連続した表面形状を有しているため、見映えが良い。
【発明を実施するための最良の形態】
【００１３】
すぐに使用でき且つ紛失のおそれがない霜取プレートの収納構造を提供する目的を、ドアに取付けられる内装トリムにスリット開口を形成し、該スリット開口から霜取プレートを一端部を残した状態で挿入して、内装トリムの裏側に収納自在としたことで、実現した。
【実施例１】
【００１４】
図１〜図３は、本発明の第１実施例を示す図である。この実施例では、自動車のインストルメントパネル１の車幅方向両端部の下方に位置するダッシュサイドトリム２を「内装トリム」として説明する。ダッシュサイドトリム２は、車体としてのダッシュサイド部３を所定の隙間スペースＳ１を隔てた状態で覆うものであり、その後端には外側へ回り込んだ湾曲部４を経た後、サイドシル５を覆う断面コ字状の端末部６が形成されている。
【００１５】
ダッシュサイドトリム２における湾曲部４には、ダッシュサイドトリム２の表面に近い方の位置に、前後方向に貫通するスリット開口７が縦に形成されている。スリット開口７の内部に位置するダッシュサイドトリム２の裏面には、上下に２個づつのＬ形の保持片８が互いに向かい合った状態で形成されている。
【００１６】
そして、スリット開口７から霜取プレート９が挿入される。霜取プレート９は樹脂製で、一端部にスリット開口７の幅よりも厚い突起部１０を有し、他端部に刃部１１を有している。また、突起部１０側には操作時に指を入れる長孔１２も形成されている。スリット開口７からダッシュサイドトリム２の裏側に挿入された霜取プレート９は、突起部１０以外の全体が、内部の保持片８により、ダッシュサイドトリム２の裏面に沿った状態で収納される。使用時には、突起部１０を手で持って霜取プレート９をスリット開口７から引き抜けば良い。
【００１７】
この第１実施例によれば、内装トリムとしてのダッシュサイドトリム２にスリット開口７を設けて、そのスリット開口７からダッシュサイドトリム２の裏側に霜取プレート９を収納するようにしたため、霜取プレート９の収納位置が常に決まっており、すぐに使用できるし、紛失のおそれもない。出し入れをするための突起部１０を残し、霜取プレート９の略全体がダッシュサイドトリム２の裏側に隠されるため、見映えの点でも問題ない。特に、霜取プレート９をダッシュサイドトリム２の裏面に沿った状態で収納したため、ダッシュサイドトリム２の裏側の隙間スペースＳ１が狭くても収納できる。
【実施例２】
【００１８】
図４〜図７は、本発明の第２実施例を示す図である。第１実施例と共通する部分には同一の符号を付し、重複する説明は省略する。
【００１９】
この第２実施例のダッシュサイドトリム１３は、裏側のダッシュサイド部３との隙間スペースＳ２が第１実施例の場合よりも更に狭い状態になっている。このダッシュサイドトリム１３には、その表面から湾曲部４にかけて、霜取プレート１４に略相応する形状の切欠１５が形成されている。この切欠１５の前端１６は霜取プレート１４の刃部１７に対応して斜めにカットされ、後端には前向きのリブ１８が形成されている。更に、切欠１５の上下縁にはそれぞれ保持片１９が一体形成されている。
【００２０】
霜取プレート１４は、ダッシュサイドトリム１３に相応して後部が湾曲した断面形状で、ダッシュサイドトリム１３と連続した表面を有している。また、後端には切欠１５のリブ１８に係止可能な爪部２０が上下一対形成されている。更に、爪部２０の近くには操作時に指を掛ける凹部２１も形成されている。
【００２１】
このような霜取プレート１４は、まず刃部１７を切欠１５の前端１６に当てた状態にし、その刃部１７を中心にして全体を切欠１５に押し付ける。そうすると、霜取プレート１４の後端の爪部２０が切欠１５のリブ１８に係合し、霜取プレート１４が切欠１５に対して取付けられる。切欠１５は霜取プレート１４により塞がれ、霜取プレート１４がダッシュサイドトリム１３の一部を形成した状態となる。しかも、霜取プレート１４の露出表面がダッシュサイドトリム１３と連続した表面形状を有しているため、見映えも良い。使用時には、凹部２１に指を掛けて、前側に押しながら車室内側へ引くことにより、取り外すことができる。
【００２２】
この第２実施例では、霜取プレート１４をダッシュサイドトリム１３の裏側でなく、ダッシュサイドトリム１３と同じ表面位置に取付けるため、ダッシュサイドトリム１３の裏側に隙間スペースＳ２がほとんど無くても、霜取プレート１４の収納が可能となる。
【産業上の利用可能性】
【００２３】
以上の実施例では、内装トリムとしてダッシュサイドトリム２、１３を例にしたが、リヤシート後方のラゲッジルームやトランクルームの側壁に設けられるサイドトリムや、センタピラーに設けられるガーニッシュなどでも良く、またドアに取付けられるドアトリムでも良い。
【図面の簡単な説明】
【００２４】
【図１】本発明の第１実施例に係る霜取プレートの収納構造を示す車室内斜視図。
【図２】図１の霜取プレートを取り外した状態を示すダッシュサイドトリムの斜視図。
【図３】図１中矢示ＳＡ−ＳＡ線に沿う断面図。
【図４】本発明の第２実施例に係るダッシュサイドトリムを示す斜視図。
【図５】図４の霜取プレートを取り外した状態を示すダッシュサイドトリムの斜視図。
【図６】図４中矢示ＳＢ−ＳＢ線に沿う断面図。
【図７】図４中矢示ＳＣ−ＳＣ線に沿う断面図。
【符号の説明】
【００２５】
１  インストルメントパネル
２、１３  ダッシュサイドトリム（内装トリム）
３  ダッシュサイド部
４  湾曲部
７  スリット開口
９、１４  霜取プレート
１０  突起部（一端部）
１１、１７  刃部
１５  切欠
【図１】
2005145116.tif 000003
【図２】
2005145116.tif 000004
【図３】
2005145116.tif 000005
【図４】
2005145116.tif 000006
【図５】
2005145116.tif 000007
【図６】
2005145116.tif 000008
【図７】
2005145116.tif 000009